(57)【要約】【課題】  フックに吊り下げて使用する場合のみならず、傾斜面に複室容器を設置する場合にも、弱シール部の剥離の確認を促すように構成された複室容器を提供する。【解決手段】  弱シール部４で区画された複数の薬剤充填室５，６を備える容器本体２と、該容器本体２の開口部に取り付けられた口栓１０とを備えた複室容器１において、前記複数の薬剤充填室５，６のいずれかの外表面に貼着され、前記弱シール部４の剥離による薬剤の混合等に関する情報を確認することができる情報確認シール２０と、該情報確認シール２０と前記口栓１０の薬剤排出口１１を覆った状態で貼着され、前記弱シール部４が剥離していないことを表示する警告シール３０とを備える。【選択図】図１
2006034790.tif 000002
【特許請求の範囲】
【請求項１】
弱シール部で区画された複数の薬剤充填室を備える容器本体と、該容器本体の開口部に取り付けられた口栓とを備えた複室容器において、
前記複数の薬剤充填室のいずれかの外表面に貼着され、前記弱シール部の剥離による薬剤の混合等に関する情報を確認することができる情報確認シールと、
該情報確認シールと前記口栓の薬剤排出口を覆った状態で貼着され、前記弱シール部が剥離していないことを表示する警告シールとを備えることを特徴とする、複室容器。
【発明の詳細な説明】
【技術分野】
【０００１】
本発明は、弱シール部の剥離を確認するシールを備えた複室容器に関する。
【背景技術】
【０００２】
従来、２種類以上の薬剤を配合する場合、薬剤的相互作用に起因する経時的変化によって薬剤が変質する危険性があるため、弱シール部で区画された複数の薬剤充填室を備える複室容器を用いて、各未混合薬剤が個別に充填されていることがある。このような複室容器を用いた場合には、通常、弱シール部を剥離しないでも未混合薬剤を患者に投与することができるので、かかる未混合薬剤の誤投与による医療事故がないように使用者に注意を喚起するため、複室容器には、フック用の吊下穴を塞ぐように開封確認用シールを貼着し、弱シール部の剥離の確認を促すように構成されたものがある（例えば、特許文献１参照。）。
【特許文献１】実用新案登録第３０７４８８５号
【０００３】
しかしながら、このような複室容器では、フックに吊り下げて使用する場合には、使用者に注意を喚起させることができるが、フックを用いずに傾斜面に設置して患者に薬剤を投与しようとする場合には、フック用の吊下穴に使用者の注意が向かない傾向があり、使用者に十分に注意を喚起することができないという問題点がある。
【発明の開示】
【発明が解決しようとする課題】
【０００４】
したがって、本発明は、かかる問題点を解消するため、フックに吊り下げて使用する場合のみならず、傾斜面に複室容器を設置する場合にも、弱シール部の剥離の確認を促すように構成された複室容器を提供し、未混合薬剤の誤投与による医療事故の発生を防止することを目的とする。
【課題を解決するための手段】
【０００５】
前記課題を解決するための手段として、本発明は、弱シール部で区画された複数の薬剤充填室を備える容器本体と、該容器本体の開口部に取り付けられた口栓とを備えた複室容器において、前記複数の薬剤充填室のいずれかの外表面に貼着され、前記弱シール部の剥離による薬剤の混合等に関する情報を確認することができる情報確認シールと、該情報確認シールと前記口栓の薬剤排出口を覆った状態で貼着され、前記弱シール部が剥離していないことを表示する警告シールとを備えたものである。
【発明の効果】
【０００６】
前記手段によれば、使用者は、警告シールの剥離及び情報確認シールへの記入という２つの作業を行う度に、その都度、弱シール部の剥離の有無を確認することができる。また、弱シール部の剥離前に中空針の刺通がないように口栓が警告シールで覆われているため、フックに吊り下げる場合のみならず、傾斜面に設置した場合でも、未混合薬剤の誤投与による医療事故を十分に防止して、患者に対する安全性を確保することが可能となる。
【発明を実施するための最良の形態】
【０００７】
以下、添付の図面に従って、本発明の実施形態を説明する。
【０００８】
図１は、本発明の実施形態に係る複室容器１を示す。この複室容器１は、図５に示したように、容器本体２と、該容器本体２の開口部に取り付けられた薬剤排出用の口栓１０とを備える。
【０００９】
容器本体２は、２枚の透明なフィルムシートからなり、周辺強シール部３を備える。周辺強シール部３は、前記２枚の透明なフィルムシートを対向させた内表面の間に、口栓１０の薬剤排出管１２を挟持させた状態で、周辺部が加熱溶着されて形成されている。周辺強シール部３は、後述の第１と第２の薬剤充填室５，６の外表面を押圧しても剥離することができない強度で構成されている。
【００１０】
容器本体２は、弱シール部４と、第１と第２の薬剤充填室５，６とを備える。弱シール部４は、一方の内表面とこれに対向する他方の内表面とを、例えば、混合樹脂片で接合し、又は前記内表面の間に混合樹脂片を挟持した状態で加熱溶着することによって、容器本体２の中央付近の短手方向に形成されている。弱シール部４は、容器本体２の内部を第１と第２の薬剤充填室５，６に区画している。弱シール部４は、第１と第２の薬剤充填室５，６の外表面を押圧すると剥離することが可能な強度で構成されている。
【００１１】
口栓１０は、筒状で、ゴム栓で密封された薬剤排出口１１と、薬剤排出管１２とで構成されている。
【００１２】
複室容器１は、情報確認シール２０を備える。情報確認シール２０は、図５に示したように、矩形状に構成され、裏面全体に粘着剤を塗布して、一方の薬剤充填室５の外表面に貼着されている。情報確認シール２０は、表面上部に設けられた表示部２１と、該表示部２１の下方に設けられた記入欄２２とを有する。表示部２１には、図５に示したように、弱シール部４が剥離したことを表示する「開通済」の文字が緑地に白色で付されている。記入欄２２には、図５に示したように、弱シール部４の剥離による薬剤の混合等に関する情報を記載する「混合者サイン」欄、「混合の年月日」欄、「混合時刻」欄、及び「患者氏名」欄が設けられている。
【００１３】
複室容器１は、さらに、警告シール３０を備える。警告シール３０は、図１〜図３に示したように、前記情報記入シール２０より大きな矩形状に構成され、裏面の上下両端に粘着剤を塗布して、情報確認シール２０と前記口栓１０の上部を覆った状態で一方の薬剤充填室５の外表面及び口栓１０に貼着されている。警告シール３０の表面には、弱シール部４が剥離していないことを表示する「未開通」の文字や、弱シール部４の剥離後に剥離すべき旨を記載した注意書が赤地に白色で付されている。
【００１４】
次に、前記構成からなる複室容器１を使用する場合の作用について説明する。
【００１５】
警告シール３０が貼着された状態で、本発明の複室容器１がフックに吊り下げられたり、傾斜面に設置されたりしている場合には、口栓１０の薬剤排出口１１を覆う警告シール３０と、そこに付された「未開通」の文字や注意書によって、使用者は、口栓１０のゴム栓に中空針を刺通すべできないことや、弱シール部４の剥離作業を行うべきことを容易に認識することができる。これにより、使用者は、口栓１０のゴム栓に中空針を刺通して、未混合薬剤を患者に投与することはない。
【００１６】
使用者が第１と第２の薬剤充填室５，６のいずれかの外表面を手等で押圧して弱シール部４を剥離した場合には、使用者は、弱シール部４の剥離を確認することも含めて、図４に示したように、警告シール３０を剥離し、「開通済」の文字が付された情報確認シール２０を露出させる。さらに、使用者は、弱シール部４が剥離したことを再度確認するため、記入欄２２に薬剤の混合等に関する必要な事項を記入する。
【００１７】
仮に使用者が弱シール部４を剥離することを怠ったまま警告シール３０を誤って剥離した場合であっても、情報確認シール２０の記入欄２２に記入すべき事項は、薬剤の混合等に関する必要な事項であるため、使用者は、弱シール部４の剥離作業が行われていないことを容易に認識することができ、口栓１０のゴム栓に中空針を刺通して、未混合薬剤を患者に投与することはない。
【図面の簡単な説明】
【００１８】
【図１】本発明の実施形態に係る複室容器の正面図である。
【図２】警告シールを貼着した部分を拡大した図１の複室容器の側面図である。
【図３】図１の複室容器の底面図である。
【図４】警告シールを剥離しようとする状態の図１の複室容器の正面図である。
【図５】警告シールを剥離した状態の図１の複室容器の正面図である。
【符号の説明】
【００１９】
１  複室容器
２  容器本体
３  周辺強シール部
４  弱シール部
５  第１の薬剤充填室
６  第２の薬剤充填室
１０  口栓
１１  薬剤排出口
１２  薬剤排出管
２０  情報確認シール
２１  表示部
２２  記入欄
３０  警告シール
【図１】
2006034790.tif 000003
【図２】
2006034790.tif 000004
【図３】
2006034790.tif 000005
【図４】
2006034790.tif 000006
【図５】
2006034790.tif 000007